(57)【特許請求の範囲】
【請求項１】
複数の画像データをそれらの識別情報と関連づけて記録した第１の記録媒体と，
複数の第１の音データをそれらの識別情報と関連づけて記録した第２の記録媒体と，
複数の第２の音データを記録した第３の記録媒体とを用い，
少なくとも表示すべき画像を表わす画像データを示す識別情報と画像表示の開始時間データとを含む複数の画像キャスト，少なくとも発生させるべき音を表わす第１の音データを示す識別情報，音発生の開始時間データおよび音データのうち発生させるべき部分を表わす時点データを含む複数の音キャスト，プレゼンテーションのために表示すべき画像の画像キャストと発生させるべき音の音キャストとを，それらの出力させるべき順序に配列して記述したシーケンス・テーブル，ならびにプレゼンテーションのために用いる第２の音データのアクセス情報とその開始時間データとを記述したタイム・コントロール・テーブルをあらかじめ作成して第４の記録媒体に格納しておき，
第４の記録媒体から上記シーケンス・テーブルに含まれる画像キャストおよび音キャストを読出すとともに上記タイム・コントロール・テーブルを読出し，
読出した画像キャストおよび音キャストに含まれる識別情報にしたがって第１の記録媒体および第２の記録媒体から画像データおよび第１の音データのうち少なくとも上記時点データによって規定される時間帯の音を表す部分を読出し，読出した上記タイム・コントロール・テーブルのアクセス情報にしたがって第３の記録媒体から第２の音データを読出し，画像キャスト，音キャストおよび上記タイム・コントロール・テーブルに記述された開始時間にしたがって，読出した画像データによって表わされる画像を表示装置に表示し，読出した第１音データによって表わされる音のうち上記時点データによって規定される時間帯の音および読出した第２の音データによって表わされる音をスピーカから出力させる，
マルチメディア・プレゼンテーション方法。
【請求項２】
上記第１の記録媒体，第２の記録媒体および第３の記録媒体のうちの少なくとも２つが同一の記録媒体である，請求項１に記載のマルチメディア・プレゼンテーション方法。
【請求項３】
表示すべき画像の解像度，位置または拡大，縮小倍率を画像キャストにあらかじめ記述しておき，この記述にしたがう画像を表示する，請求項１または２に記載のマルチメディア・プレゼンテーション方法。
【請求項４】
複数の画像データとこれらの画像データの合成に関するデータとを含む合体型画像ファイルを，上記画像データとして第１の記録媒体にあらかじめ格納しておき，画像キャストに合体型画像ファイルの識別情報を含ませておき，
画像キャストによって合体型画像ファイルが指示されているときに，合体型画像ファイルに規定された少くとも２つの画像を合成して表示する，
請求項１から３のいずれか一項に記載のマルチメディア・プレゼンテーション方法。
【請求項５】
複数の画像データをそれらの識別情報と関連づけて格納した第１の記録媒体から，指示された識別情報に対応する画像データを読出す第１の読取装置，
複数の第１の音データをそれらの識別情報と関連づけて格納した第２の記録媒体から，指示された識別情報に対応する第１の音データを読出す第２の読取装置，
第２の音データを格納した第３の記録媒体から，与えられたアクセス情報によって指定される第２の音データを読出す第３の読取装置，
第１の記録媒体から読出された画像データによって表わされる画像を表示する表示装置，
第２の記録媒体から読出された第１の音データによって表わされる第１の音を発生する第１の音発生装置，
第３の記録媒体から読出された第２の音データによって表わされる第２の音を発生する第２の音発生装置，ならびに
少なくとも表示すべき画像を表わす画像データを示す識別情報と画像表示の開始時間データとを含む複数の画像キャスト，少なくとも発生させるべき音を表わす第１の音データを示す識別情報，音発生の開始時間データおよび音データのうち発生させるべき部分を表わす時点データを含む複数の音キャスト，プレゼンテーションのために表示すべき画像の画像キャストと発生させるべき音の音キャストとを，それらの出力させるべき順序に配列して記述したシーケンス・テーブル，ならびにプレゼンテーションのために用いる第２の音データのアクセス情報とその開始時間データとを記述したタイム・コントロール・テーブルを格納した第４の記録媒体から上記シーケンス・テーブルに含まれる画像キャストおよび音キャストを読出すとともに上記タイム・コントロール・テーブルを読出し，読出した画像キャストおよび音キャストに含まれる識別情報にしたがって第１の記録媒体および第２の記録媒体から画像データおよび第１の音データのうち少なくとも上記時点データによって規定される時間帯の音を表す部分を読出し，読出した上記タイム・コントロール・テーブルのアクセス情報にしたがって第３の記録媒体から第２の音データを読出し，画像キャスト，音キャストおよび上記タイム・コントロール・テーブルに記述された開始時間にしたがって，読出した画像データによって表わされる画像を上記表示装置に表示し，読出した第１の音データによって表わされる第１の音のうち上記時点データによって規定される時間帯の音および読出した第２の音データによって表わされる第２の音を上記第１および第２の音発生装置から出力させるように制御する制御装置，
を備えたマルチメディア・プレゼンテーション・システム。
【請求項６】
上記第１の記録媒体，第２の記録媒体および第３の記録媒体のうちの少なくとも２つが同一の記録媒体である，請求項５に記載のマルチメディア・プレゼンテーション・システム。
【請求項７】
上記第１の音発生装置と上記第２の音発生装置の少なくとも一部が共用される，請求項５に記載のマルチメディア・プレゼンテーション・システム。
【請求項８】
複数の第１の音データをそれらの識別情報と関連づけて記録した第１の記録媒体と，
複数の第２の音データを記録した第２の記録媒体とを用い，
少なくとも発生させるべき音を表わす第１の音データを示す識別情報，音発生の開始時間データおよび音データのうち発生させるべき部分を表す時点データを含む複数の音キャスト，プレゼンテーションのために発生させるべき音の音キャストを出力させるべき順序に配列して記述したシーケンス・テーブル，ならびにプレゼンテーションのために用いる第２の音データのアクセス情報とその開始時間データとを記述したタイム・コントロール・テーブルをあらかじめ作成して第３の記録媒体に格納しておき，
第３の記録媒体から上記シーケンス・テーブルに含まれる音キャストを読出すとともに上記タイム・コントロール・テーブルを読出し，
読出した音キャストに含まれる識別情報にしたがって第１の記録媒体から第１の音データのうち少なくとも上記時点データによって規定される時間帯の音を表す部分を読出し，読出した上記タイム・コントロール・テーブルのアクセス情報にしたがって第２の記録媒体から第２の音データを読出し，音キャストおよび上記タイム・コントロール・テーブルに記述された開始時間にしたがって，読出した第１の音データによって表わされる音のうち上記時点データによって規定される時間帯の音および読出した第２の音データによって表される音をスピーカから出力させる，
マルチメディア・プレゼンテーション方法。
【請求項９】
複数の第１の音データをそれらの識別情報と関連づけて格納した第１の記録媒体から，指示された識別情報に対応する第１の音データを読出す第１の読取装置，
第２の音データを格納した第２の記録媒体から，与えられたアクセス情報によって指定される第２の音データを読出す第２の読取装置，
第１の記録媒体から読出された第１の音データによって表わされる第１の音を発生する第１の音発生装置，
第２の記録媒体から読出された第２の音データによって表わされる第２の音を発生する第２の音発生装置，ならびに
少なくとも発生させるべき音を表わす第１の音データを示す識別情報，音発生の開始時間データおよび音データのうち発生させるべき部分を表す時点データを含む複数の音キャスト，プレゼンテーションのために発生させるべき音の音キャストを出力させるべき順序に配列して記述したシーケンス・テーブル，ならびにプレゼンテーションのために用いる第２の音データのアクセス情報とその開始時間データとを記述したタイム・コントロール・テーブルを格納した第３の記録媒体から上記シーケンス・テーブルに含まれる音キャストを読出すとともに上記タイム・コントロール・テーブルを読出し，読出した音キャストに含まれる識別情報にしたがって第１の記録媒体から第１の音データのうち少なくとも上記時点データによって規定される時間帯の音を表す部分を読出し，読出した上記タイム・コントロール・テーブルのアクセス情報にしたがって第２の記録媒体から第２の音データを読出し，音キャストおよび上記タイム・コントロール・テーブルに記述された開始時間にしたがって，読出した第１の音データによって表わされる第１の音をのうち上記時点データによって規定される時間帯の音および読出した第２の音データによって表される音を上記第１および第２の音発生装置から出力させるように制御する制御装置，
を備えたマルチメディア・プレゼンテーション・システム。
【請求項１０】
複数の画像データをそれらの識別情報と関連づけて記録した第１の記録媒体と，
複数の音データを記録した第２の記録媒体とを用い，
少なくとも表示すべき画像を表わす画像データを示す識別情報と画像表示の開始時間データとを含む複数の画像キャスト，プレゼンテーションのために表示すべき画像の画像キャストのシーケンス・テーブル，およびプレゼンテーションのために用いる音データのアクセス情報とその開始時間データとを記述したタイム・コントロール・テーブルをあらかじめ作成して第３の記録媒体に格納しておき，
第３の記録媒体から上記シーケンス・テーブルに含まれる画像キャストを読出すとともに上記タイム・コントロール・テーブルを読出し，
読出した画像キャストに含まれる識別情報にしたがって第１の記録媒体から画像データを読出し，読出した上記タイム・コントロール・テーブルのアクセス情報にしたがって第２の記録媒体から音データを読出し，画像キャストおよび上記タイム・コントロール・テーブルに記述された開始時間にしたがって，読出した画像データによって表わされる画像を表示装置に表示し，読出した音データによって表わされる音をスピーカから出力させる，
マルチメディア・プレゼンテーション方法。
【請求項１１】
複数の画像データをそれらの識別情報と関連づけて格納した第１の記録媒体から，指示された識別情報に対応する画像データを読出す第１の読取装置，
音データを格納した第２の記録媒体から，与えられたアクセス情報によって指定される音データを読出す第２の読取装置，
第１の記録媒体から読出された画像データによって表わされる画像を表示する表示装置，
第２の記録媒体から読出された音データによって表わされる音を発生する音発生装置，ならびに
少なくとも表示すべき画像を表わす画像データを示す識別情報と画像表示の開始時間データとを含む複数の画像キャスト，プレゼンテーションのために表示すべき画像の画像キャストのシーケンス・テーブル，およびプレゼンテーションのために用いる音データのアクセス情報とその開始時間データとを記述したタイム・コントロール・テーブルを格納した第３の記録媒体から上記シーケンス・テーブルに含まれる画像キャストを読出すとともに上記タイム・コントロール・テーブルを読出し，読出した画像キャストに含まれる識別情報にしたがって第１の記録媒体から画像データを読出し，読出した上記タイム・コントロール・テーブルのアクセス情報にしたがって第２の記録媒体から音データを読出し，画像キャストおよび上記タイム・コントロール・テーブルに記述された開始時間にしたがって，読出した画像データによって表わされる画像を上記表示装置に表示し，読出した音データによって表わされる音を上記音発生装置から出力させるように制御する制御装置，
を備えたマルチメディア・プレゼンテーション・システム。
【発明の詳細な説明】
【０００１】
【技術分野】
この発明は，画像（文字画像を含む）と音（音楽，ナレーションを含む）とからなるマルチメディアを発生させるマルチメディア・プレゼンテーション方法およびシステムに関する。
【０００２】
【背景技術】
店頭における商品案内，美術館，博物館等における展示物の案内のために，静止画とナレーション，および必要に応じてバックグランド・ミュージック（ＢＧＭという）が組合わされて用いられる。とくに，ナレーションとＢＧＭとはともに音であるから，これらは一つのスピーカから出力されることが多い。一般にはナレーションとＢＧＭとを別個に録音しておき（または別個に録音したものを用い），ナレーションの音信号とＢＧＭの音信号とを再生して適当なタイミングでミキシングして記録媒体に記録（録音）することが行なわれている。
【０００３】
ナレーションと音楽とを一旦ミキシングしてしまうと，これらの信号の組合せが固定されてしまうので，いずれか一方のタイミングをずらしたり，修正したりするためには，はじめからやり直さなければならない。
【０００４】
画像と音との場合にも，これらを表わす信号（データ）を記録媒体上に出現順序で固定的に配列して記録してしまうと，同じように修正，変更が容易でないという問題がある。
【０００５】
【発明の開示】
この発明は複数の異なるメディア（ナレーション，音楽，画像等）を自在に容易に組合せることができ，しかもその組合せ，タイミング等の修正，変更等が容易なマルチメディア・プレゼンテーション方法およびシステムを提供するものである。
【０００６】
この発明によるマルチメディア・プレゼンテーション方法は，複数の画像データをそれらの識別情報と関連づけて記録した第１の記録媒体と，複数の第１の音データをそれらの識別情報と関連づけて記録した第２の記録媒体と，複数の第２の音データを記録した第３の記録媒体とを用い，少なくとも表示すべき画像を表わす画像データを示す識別情報と画像表示の開始時間データとを含む画像キャスト，少なくとも発生させるべき音を表わす第１の音データを示す識別情報と音発生の開始時間データとを含む音キャスト，プレゼンテーションのために用いる画像キャストと音キャストとのリスト，およびプレゼンテーションのために用いる第２の音データのアクセス情報とその開始時間データとを記述したテーブルをあらかじめ作成して第４の記録媒体に格納しておき，第４の記録媒体から上記リストに含まれる画像キャストおよび音キャストを読出すとともに上記テーブルを読出し，読出した画像キャストおよび音キャストに含まれる識別情報にしたがって第１の記録媒体および第２の記録媒体から画像データおよび第１の音データを読出し，読出した上記テーブルのアクセス情報にしたがって第３の記録媒体から第２の音データを読出し，画像キャスト，音キャストおよび上記テーブルに記述された開始時間にしたがって，読出した画像データによって表わされる画像を表示装置に表示し，読出した第１および第２の音データによって表わされる音をスピーカから出力させるものである。
【０００７】
この発明によるマルチメディア・プレゼンテーション・システムは，複数の画像データをそれらの識別情報と関連づけて格納した第１の記録媒体から，指示された識別情報に対応する画像データを読出す第１の読取装置，複数の第１の音データをそれらの識別情報と関連づけて格納した第２の記録媒体から，指示された識別情報に対応する第１の音データを読出す第２の読取装置，第２の音データを格納した第３の記録媒体から，与えられたアクセス情報によって指定される第２の音データを読出す第３の読取装置，第１の記録媒体から読出された画像データによって表わされる画像を表示する表示装置，第２の記録媒体から読出された第１の音データによって表わされる第１の音を発生する第１の音発生装置，第３の記録媒体から読出された第２の音データによって表わされる第２の音を発生する第２の音発生装置，ならびに少なくとも表示すべき画像を表わす画像データを示す識別情報と画像表示の開始時間データとを含む画像キャスト，少なくとも発生させるべき音を表わす第１の音データを示す識別情報と音発生の開始時間データとを含む音キャスト，プレゼンテーションのために用いる画像キャストと音キャストとのリスト，およびプレゼンテーションのために用いる第２の音データのアクセス情報とその開始時間データとを記述したテーブルを格納した第４の記録媒体から上記リストに含まれる画像キャストおよび音キャストを読出すとともに上記テーブルを読出し，読出した画像キャストおよび音キャストに含まれる識別情報にしたがって第１の記録媒体および第２の記録媒体から画像データおよび第１の音データを読出し，読出した上記テーブルのアクセス情報にしたがって第３の記録媒体から第２の音データを読出し，画像キャスト，音キャストおよび上記テーブルに記述された開始時間にしたがって，読出した画像データによって表わされる画像を上記表示装置に表示し，読出した第１および第２の音データによって表わされる第１および第２の音を上記第１および第２の音発生装置から出力させるように制御する制御装置を備えている。
【０００８】
上記第１の記録媒体，第２の記録媒体および第３の記録媒体のうちの少なくとも２つが同一の記録媒体であってもよい。第１の記録媒体と第２の記録媒体とが同一の場合には上記第１の読取装置と上記第２の読取装置が同一の装置となる。
【０００９】
上記第１の音発生装置と上記第２の音発生装置の少なくとも一部を共用することもできる。
【００１０】
一例を挙げると，画像データによって表わされる画像は静止画であり，第１の音データによって表わされる音はナレーションであり，第２の音データによって表わされる音はＢＧＭである。したがって，ＢＧＭを流しながら，静止画を表示し，その静止画の説明を音（ナレーション）で出力することができる。
【００１１】
静止画は画像キャストによって管理される。ナレーション（第１の音）は音キャストによって管理される。ＢＧＭ（第２の音）は上記テーブルによって管理される。したがって，すべてのメディアがそれぞれ別個独立に管理されるので，その作成，修正，変更が他のメディアに影響されることがなくなり，その作業が容易となる。これらのメディアは開始時間データによって組合わされる。したがって開始時間データのみによってメディアの出力タイミングを選定することができる。ＢＧＭ（第２の音）のための第３の記録媒体としては，ＢＧＭ専用のもの（たとえば市販のコンパクト・ディスク，光磁気ディスク等）をそのまま（何ら加工することなく）用いることができる。画像，音の素材もまた元のまま（加工しない状態で）保存することもできる。
【００１２】
好ましい実施態様においては，表示すべき画像の解像度，位置または拡大，縮小倍率を画像キャストにあらかじめ記述しておくことにより，この記述にしたがう画像の表示が行なわれる。
【００１３】
画像表示の最初の段階で実行すべき効果およびその時間を画像キャストにあらかじめ記述しておくと，この記述にしたがう効果表示を行うことができる。
【００１４】
他の好ましい実施態様においては，音データのうち発生させるべき部分を表わす時点データを音キャストにあらかじめ記述しておくことにより，この時点データによって規定される時間帯の音を発生させることができる。
【００１５】
いわゆる合体型画像データを利用することもできる。すなわち，複数の画像データとこれらの画像データの合成に関するデータとを含む合体型画像ファイルを，上記画像データとして第１の記録媒体にあらかじめ格納しておき，画像キャストに合体型画像ファイルの識別情報を含ませておく。これにより，画像キャストによって合体型画像ファイルが指示されているときに，合体型画像ファイルに規定された少くとも２つの画像を合成して表示することができる。
【００１６】
合体型画像データのフォーマットおよびその合成方法については本願と同一出願人による同日出願の特許願（整理番号 94086）の明細書に詳述されている。
【００１７】
この発明はナレーション（第１の音）とＢＧＭ（第２の音）との組合せ（画像がないもの）にも適用可能である。この明細書では２種類の音もまたマルチメディアの概念に含まれる。
【００１８】
この発明によるマルチメディア・プレゼンテーション方法は，複数の第１の音データをそれらの識別情報と関連づけて記録した第１の記録媒体と，複数の第２の音データを記録した第２の記録媒体とを用い，少なくとも発生させるべき音を表わす第１の音データを示す識別情報と音発生の開始時間データとを含む音キャスト，プレゼンテーションのために用いる音キャストのリスト，およびプレゼンテーションのために用いる第２の音データのアクセス情報とその開始時間データとを記述したテーブルをあらかじめ作成して第３の記録媒体に格納しておき，第３の記録媒体から上記リストに含まれる音キャストを読出すとともに上記テーブルを読出し，読出した音キャストに含まれる識別情報にしたがって第１の記録媒体から第１の音データを読出し，読出した上記テーブルのアクセス情報にしたがって第２の記録媒体から第２の音データを読出し，音キャストおよび上記テーブルに記述された開始時間にしたがって，読出した第１および第２の音データによって表わされる音をスピーカから出力させるものである。
【００１９】
上述の方法に対応するマルチメディア・プレゼンテーション・システムは，複数の第１の音データをそれらの識別情報と関連づけて格納した第１の記録媒体から，指示された識別情報に対応する第１の音データを読出す第１の読取装置，第２の音データを格納した第２の記録媒体から，与えられたアクセス情報によって指定される第２の音データを読出す第２の読取装置，第１の記録媒体から読出された第１の音データによって表わされる第１の音を発生する第１の音発生装置，第２の記録媒体から読出された第２の音データによって表わされる第２の音を発生する第２の音発生装置，ならびに少なくとも発生させるべき音を表わす第１の音データを示す識別情報と音発生の開始時間データとを含む音キャスト，プレゼンテーションのために用いる音キャストのリスト，およびプレゼンテーションのために用いる第２の音データのアクセス情報とその開始時間データとを記述したテーブルを格納した第３の記録媒体から上記リストに含まれる音キャストを読出すとともに上記テーブルを読出し，読出した音キャストに含まれる識別情報にしたがって第１の記録媒体から第１の音データを読出し，読出した上記テーブルのアクセス情報にしたがって第２の記録媒体から第２の音データを読出し，音キャストおよび上記テーブルに記述された開始時間にしたがって，読出した第１および第２の音データによって表わされる第１および第２の音を上記第１および第２の音発生装置から出力させるように制御する制御装置を備えている。
【００２０】
この発明は静止画（画像）とＢＧＭ（音）とを提示する場合にも適用できる（ナレーションがない）。このマルチメディア・プレゼンテーション方法は，複数の画像データをそれらの識別情報と関連づけて記録した第１の記録媒体と，複数の音データを記録した第２の記録媒体とを用い，少なくとも表示すべき画像を表わす画像データを示す識別情報と画像表示の開始時間データとを含む画像キャスト，プレゼンテーションのために用いる画像キャストのリスト，およびプレゼンテーションのために用いる音データのアクセス情報とその開始時間データとを記述したテーブルをあらかじめ作成して第３の記録媒体に格納しておき，第３の記録媒体から上記リストに含まれる画像キャストを読出すとともに上記テーブルを読出し，読出した画像キャストに含まれる識別情報にしたがって第１の記録媒体から画像データを読出し，読出した上記テーブルのアクセス情報にしたがって第２の記録媒体から音データを読出し，画像キャストおよび上記テーブルに記述された開始時間にしたがって，読出した画像データによって表わされる画像を表示装置に表示し，読出した音データによって表わされる音をスピーカから出力させるものである。
【００２１】
この方法に対応するマルチメディア・プレゼンテーション・システムは，複数の画像データをそれらの識別情報と関連づけて格納した第１の記録媒体から，指示された識別情報に対応する画像データを読出す第１の読取装置，音データを格納した第２の記録媒体から，与えられたアクセス情報によって指定される音データを読出す第２の読取装置，第１の記録媒体から読出された画像データによって表わされる画像を表示する表示装置，第２の記録媒体から読出された音データによって表わされる音を発生する音発生装置，ならびに少なくとも表示すべき画像を表わす画像データを示す識別情報と画像表示の開始時間データとを含む画像キャスト，プレゼンテーションのために用いる画像キャストのリスト，およびプレゼンテーションのために用いる音データのアクセス情報とその開始時間データとを記述したテーブルを格納した第３の記録媒体から上記リストに含まれる画像キャストを読出すとともに上記テーブルを読出し，読出した画像キャストに含まれる識別情報にしたがって第１の記録媒体から画像データを読出し，読出した上記テーブルのアクセス情報にしたがって第２の記録媒体から音データを読出し，画像キャストおよび上記テーブルに記述された開始時間にしたがって，読出した画像データによって表わされる画像を上記表示装置に表示し，読出した音データによって表わされる音を上記音発生装置から出力させるように制御する制御装置を備えている。
【００２２】
以上のようにして，この発明によると，複数のメディアを自在にかつ容易に組合せることができる。メディア素材に必ずしも加工を加える必要はない。組合せるべき複数のメディアまたはその組合せの修正，変更を容易である。
【００２３】
【実施例】
図１はマルチメディア・プレゼンテーション・システムの全体的構成の概要を示している。このシステムはマルチメディア・データ作成にも用いることができる。
【００２４】
コンピュータ・システム10はマルチメディア・プレゼンテーション（およびマルチメディア・データ作成）専用のものでもよいし，汎用のコンピュータ・システムをマルチメディア・プレゼンテーション用（ならびにマルチメディア・データ作成用）にプログラムしたものでもよい。
【００２５】
コンピュータ・システム10はＣＰＵ11，メモリ12，入力装置13，および表示装置14を備えている。メモリ12は半導体メモリ，フロッピィ・ディスク，ハード・ディスク等を含み，ＣＰＵ11の実行するプログラムを格納したり，ワーク・エリアとして用いられる。入力装置13はキーボード，マウス等を含み，ＣＰＵ11にコマンド，データ等を与えるものである。表示装置14はたとえばＣＲＴ表示装置，液晶表示装置等により実現される。
【００２６】
コンピュータ・システム10にはＳＣＳＩ（Small Computer System Interface ）バスを介して，ディスク・ドライバ15，画像システムおよび２つの音システムが接続されている。
【００２７】
ディスク・ドライバ15はディスク状記録媒体（光ディスク，光磁気ディスク，磁気ディスク等）にデータを書込む，およびこの記録媒体からデータを読出すものである。ディスク・ドライバ15によって読み書きされる記録媒体を，他の記録媒体と区別するために管理用記録媒体ということにする。管理用記録媒体には後に詳述する再生管理ファイル，メディア記述テーブル，画像キャスト・ファイル，音キャスト・ファイル等が記録される，または記録されている。
【００２８】
画像システムはディスク・ドライバ21，画像再生装置22，および表示装置23を含む。ディスク・ドライバ21によって読み書きされるディスク状記録媒体を画像用記録媒体ということにする。画像用記録媒体には画像ファイル（一画面分の画像を表わす画像データ（データ圧縮または符号化された画像データ，文字画像データ，後述する合体型画像ファイルを含む）を画像ファイルといい，画像ファイルの集まりをアルバムということにする）等がアクセス可能に記録される，または記録されている。
【００２９】
画像用記録媒体に格納される各画像ファイルには，そのアルバム名，ファイル名を含むヘッダ，画像再生のための詳細情報，画像データ等が格納される。一つの絵または文字画像について，複数種類の解像度をもつ画像データを画像ファイルに格納しておくとよい。
【００３０】
画像再生装置22はディスク・ドライバ21によって画像用記録媒体から読出された画像データまたはコンピュータ・システム10から与えられた画像データによって表わされる画像を表示装置23に表示する処理を行うものであり，ＶＲＡＭ，Ｄ／Ａ変換回路，画像処理回路，表示制御回路等を含む。
【００３１】
表示装置23はＣＲＴ表示装置または液晶表示装置（ビデオプロジェクタの一部として用いられるものを含む）により実現される。マルチメディア・プレゼンテーション・システムには，コンピュータ・システム10の表示装置14またはこの表示装置23の少なくともいずれか一方が設けられればよい。
【００３２】
第１の音システムには，ディスク・ドライバ31，音再生装置32およびスピーカ33が含まれる。ディスク・ドライバ31によって読み書きされるディスク状記録媒体を第１の音用記録媒体ということにする。第１の音用記録媒体はナレーション等の音を表わすディジタル・データ（ＡＤＰＣＭ；Adaptive Differential Pulse Code Modulation されたものを含む）を記録するものである。一つのまとまりのあるナレーション等，一単位の音データを音ファイルという。第１の音用記録媒体に音楽を記録してもよい。
【００３３】
第１の音用記録媒体に格納される音ファイルもまたアルバム名，ファイル名を含むヘッダ，再生等のために必要な情報，および音データを含むように構成される。もっとも，アルバム名，ファイル名，情報はディレクトリに格納してもよい。
【００３４】
音再生装置32は第１の音用記録媒体から読出された音データを音信号に変換してスピーカ33を駆動するものであり，ＡＤＰＣＭ復号化回路，Ｄ／Ａ変換回路等を含む。
【００３５】
音用記録媒体はＭＩＤＩ（Musical Instrument Digital Interface）データを一部または全部に格納したものでもよい。この場合には音再生装置32は電子楽器を含むものとなる。
【００３６】
画像用記録媒体の画像ファイルと第１の音用記録媒体の音ファイルとを一つの記録媒体に格納するようにしてもよい。この場合にはドライバは１つで足りる。高速のディスク・ドライバは画像ファイルと音ファイルとを時分割で読出すことができ，これらの読出されたデータに基づいて画像の表示と音の発生（出力）とを同時に行うことができる。画像用記録媒体，第１の音用記録媒体および管理用記録媒体を一つの記録媒体で実現することもできる。この場合には，ドライバ15，21，31は一台のドライバで実現できる。いずれにしても，上記の３種類の記録媒体のうちの少なくとも２つを一つの記録媒体で実現することができる。
【００３７】
第２の音システムには，ディスク・ドライバ41，音再生装置42およびスピーカ43が含まれる。第２の音システムの構成は基本的には第１の音システムの構成と同じである。ディスク・ドライバ41によって読み書きされるディスク状記録媒体を第２の音用記録媒体ということにする。第２の音用記録媒体は，この実施例ではＢＧＭ信号（データ）を記録している。この第２の音用記録媒体としては市販のコンパクト・ディスクや光磁気ディスクをそのまま用いることができる。第１の音システムのスピーカ33を第２の音システムのスピーカ43と兼用することができる。
【００３８】
好ましくは第２の音システムのディスク・ドライバ41にはディスクのオートチェンジャが設けられる。これにより，ディスク・ドライバ41に複数枚の第２の音用記録媒体を装填しておくことができる。
【００３９】
ディスク状記録媒体に代えて，半導体メモリやテープ状記録媒体を用いることができる。
【００４０】
マルチメディア・プレゼンテーション・システム（またはマルチメディア・データ作成システム）には，画像データの入力装置，音データの入力装置等を接続してもよい。画像データ入力装置にはたとえば，入力する映像信号をＡ／Ｄ変換し，データ圧縮する装置などが含まれよう。音データの入力装置にはマイク，Ａ／Ｄ変換回路，バッファ・メモリ，ＡＤＰＣＭ符号化回路等が含まれよう。
【００４１】
図２はこの実施例のマルチメディア・プレゼンテーション・システムにおいて発生する静止画，ナレーションおよびＢＧＭのシーケンスの一例を示している。
【００４２】
ＢＧＭはプレゼンテーションの間中，流されている。１つのＢＧＭが終了したのちに空時間を置いて次のＢＧＭを流すようにしてもよい。３種類のＢＧＭ＃１〜ＢＧＭ＃３が示されている。これらのＢＧＭ＃１〜ＢＧＭ＃３はイベント・ディスクリプタ(1) 〜(3) によって記述される。
【００４３】
静止画は適当な時間にわたって表示されながら，画像が順次切替えられていく。一つの静止画と次の静止画との間に，何も表示されない時間帯が存在してもよい。５種類の静止画＃１〜＃５が示されており，これらの静止画は画像キャスト(1) 〜(5) によってそれぞれ記述される。
【００４４】
各静止画に対応してナレーションが出力される。あるナレーションが終わるとすぐに次のナレーションが始まるようにすることもできる。５種類のナレーション＃１〜＃５が示され，これらは音キャスト(1) 〜(5) によって記述される。
【００４５】
これらのＢＧＭ，静止画およびナレーションを発生させる開始時間が，後述するように，イベント・ディスクリプタ，画像キャストおよび音キャストに記述されている。開始時間は時分秒で表わされ，プレゼンテーションの開始時点（最初に発生するＢＧＭ，静止画またはナレーションの開始時点）を基準として（零時零分零秒として）定められる。
【００４６】
図３は管理用記録媒体における記録構造を示すものである。管理用記録媒体には，再生管理ファイル，メディア記述テーブル，画像キャスト・ファイルおよび音キャスト・ファイルが設けられている。
【００４７】
再生管理ファイルは，イベント・ディスクリプタ，画像キャストおよび音キャストを管理するものであり，マルチメディア・プレゼンテーションの流れ（シーケンス）を規定する。
【００４８】
再生管理ファイルの詳細な構造が図４に示されている。再生管理ファイルは再生管理ファイル・ヘッダ，タイム・コントロール・テーブル（ＴＣＴ）およびシーケンス・テーブルから構成される。
【００４９】
再生管理ファイル・ヘッダは，再生管理ファイルＩＤ，このファイルに含まれる各データのポインタ，キャストの数等を記述している。
【００５０】
タイム・コントロール・テーブルは一つのプレゼンテーションで発生するすべてのＧＢＭに関するイベント・ディスクリプタを格納している。イベント・ディスクリプタは各ＢＧＭのＩＤ（ＢＧＭを発生させるオーディオ・トラックを識別するデータ，たとえば後述するメディア記述テーブルに記述された該当するオーディオ・トラックをアクセスするためのパス）と，各ＢＧＭの開始時間を表わすデータとを含む。
【００５１】
この例では２枚の第２の音用記録媒体が用いられ，その一方をＮo.１，他方をＮo.２とする。ＢＧＭ＃１はＮo.１の記録媒体の第１トラックに記録されているもので，したがってオーディオ・トラックＮo.１−１と表現される。ＢＧＭ＃２はＮo.１の記録媒体の第３トラック（オーディオ・トラックＮo.１−３），ＢＧＭ＃３はＮo.２の記録媒体の第４トラック（オーディオ・トラックＮo.２−４）にそれぞれ記録されたデータに基づいて再生される。
【００５２】
タイム・コントロール・テーブルにはそのヘッダと，格納されているイベント・ディスクリプタの数（イベント数）を表わすデータもまた記述されている。
【００５３】
シーケンス・テーブルは，一つのプレゼンテーションで再生されるすべての静止画およびナレーションに関する画像キャストおよび音キャストを列挙して記述したものである。好ましくは，これらはその開始時間の順に配列される。
【００５４】
メディア記述テーブルは，図５に示すように，各ＢＧＭを流すために使用する音楽データが記録された第２の音用記録媒体の識別番号（ディスクＮo.またはディスク・ボリュウム名）とトラックＮo.（トラックを示すＩＤ）を格納するものである。ここに記述されたオーディオ・トラックＩＤを用いて第２の音用記録媒体の再生すべきトラックがアクセスされる。このメディア記述テーブルの内容はイベント・ディスクリプタに含ませてもよい。
【００５５】
画像キャスト・ファイルには既に作成された多くの画像キャストがストアされている。各画像キャストの構造例が図６に示されている。
【００５６】
画像キャストは，ヘッダ，アルバム名，画像ファイル名，開始時間，画像出現効果，画像出現効果時間，画像の解像度，位置情報，拡大倍率等を含む。
【００５７】
ヘッダは画像キャストであることを示すものである。
【００５８】
アルバム名および画像ファイル名は，再生すべき画像ファイルを示すものである。
【００５９】
開始時間は上述したように静止画の表示開始時間である。
【００６０】
画像出現効果は，画像の表示を開始するときに，いきなり全画面を表示するのか（全画面を瞬間的に切替えるのか），両開きのドア（またはカーテン）を開けるような態様で次の画像を表示するのか，右から左に掃引しながら次の画像を表示するのか，上から下に掃引しながら画像を表示しはじめるのか，中心から徐々に表示領域を拡大しながら絵を出現させるのかというような画面効果を選択するものである。画像出現効果時間は，画像の一部の出現開始から全部が出現するまでの時間である。
【００６１】
画像の解像度は，画像ファイルが複数種類の解像度の画像データを含む場合に，いずれかの画像データを選択するためのものである。この解像度の指定により，結果的に画像データが選択される。
【００６２】
位置情報は，表示すべき画像の表示画面上における位置を表わす。例えば，表示すべき画像の中心のＸ，Ｙ座標で表現される。
【００６３】
拡大倍率（縮小倍率も含む）は表示する画像を拡大または縮小するときの倍率を表わす。
【００６４】
その他に画像キャストには，必要に応じて，圧縮情報や回転情報が含まれる。圧縮情報は，画像ファイルに含まれる画像データがデータ圧縮されているかどうか，圧縮されていればその圧縮方式（たとえばＪＰＥＧ方式）を含む。回転情報は画像ファイルの画像データを表示したときに，観察者に正しく見せるためには反時計回りに何度回転して表示すればよいかを示すものである。たとえば，この情報には０度，90度，180 度，270 度などがある。
【００６５】
さらに必要ならば画像キャストに表示時間を記述する。表示時間は静止画を表示している時間帯を示すものである。静止画の表示開始後，この表示時間が経過したときにその静止画の表示が消えるように制御される。
【００６６】
音キャスト・ファイルには多くの音キャストが格納されている。音キャストの構成例が図７に示されている。
【００６７】
音キャストにはヘッダ，音ファイル名，トラック番号，開始時間，属性，スタート・ポインタおよびストップ・ポインタ等が含まれる。
【００６８】
ヘッダは音キャストであることを示すものである。
【００６９】
ファイル名は再生すべき音ファイルを同定するものである。トラック番号は，再生すべき音ファイルが存在する第１の音用記録媒体上のトラック番号を示す。ファイル名によってトラック番号が一義的に定まる場合にはトラック番号は必ずしも必要ない。
【００７０】
開始時間は上述のようにナレーションの発生を開始させるべき時間である。
【００７１】
属性は音の性質等，たとえばモノ／ステレオの別，チャネル数，変調方式等を示す。
【００７２】
音については音ファイル内のすべての音（ナレーション）が再生されるとは限らない。たとえば一連のナレーション（一つの音のファイル）の中の特定の部分（これをクリップという）のみを再生することが要求されることがある。スタート・ポインタおよびストップ・ポインタは，再生すべきクリップの開始位置および終了位置を，音ファイルにおける最初の音の位置を基準として，時間で表現するものである。
【００７３】
図８および図９はマルチメディア・プレゼンテーション・システムにおいて，マルチメディアを発生（再生）する処理手順を示している。この処理は主にコンピュータ・システム10におけるＣＰＵ11によって実行される。
【００７４】
上述したように図３に示す再生管理ファイル，メディア記述テーブル，画像キャスト・ファイルおよび音キャスト・ファイルは，ディスク・ドライバ15によってアクセスされる管理用記録媒体に格納されている。
【００７５】
静止画の画像ファイルはディスク・ドライバ21によってアクセスされる画像用記録媒体に格納されている。ナレーションの音データ・ファイルはディスク・ドライバ31によってアクセスされる第１の音用記録媒体に格納されている。ＢＧＭの音データはディスク・ドライバ41によってアクセスされる第２の音用記録媒体（複数）に格納されている。
【００７６】
入力装置13から再生すべき再生管理ファイルを指定する入力が与えられると，ＣＰＵ11はディスク・ドライバ15を起動して，管理用記録媒体から，指定された再生管理ファイルを読出してメモリ12のワーク・エリアに格納する（ステップ51）。
【００７７】
再生管理ファイルのタイム・コントロール・ファイルのイベント・ディスクリプタに基づいて，ＣＰＵ11は管理用記録媒体のメディア記述テーブルを読出す。このメディア記述テーブルに記述されたオーディオ・トラックＩＤを用いて，ディスク・ドライバ41に第２の音用記録媒体をアクセスさせ，そのボリュウム・ラベル，テーブル・オブ・コンテンツ等を読出し，それに基づいてメディア記述テーブルに記述されたすべての記録媒体およびトラックが存在するかどうかをチェックする（ステップ52）。
【００７８】
所定の第２の音用記録媒体とトラックが存在することが分ると，次にＣＰＵ11は再生管理ファイルのシーケンス・テーブルに記述された画像キャストおよび音キャストを管理用記録媒体の画像キャスト・ファイルおよび音キャスト・ファイルから読出し，ワーク・エリアに記憶する（ステップ53）。
【００７９】
これらの読出された画像キャストおよび音キャストに基づいて，シーケンス・テーブルに記述されたすべての画像キャストおよび音キャストが存在するかどうかがチェックされる。存在すれば，ＣＰＵ11はさらに，ディスク・ドライバ21および31を起動して，先に読出したキャストに記述されているすべての画像ファイルおよび第１の音ファイルが画像用記録媒体および第１の音用記録媒体に記録されているかどうかをチェックする（ステップ54）。
【００８０】
タイム・コントロール・テーブルのイベント・ディスクリプタによって指定された第２の音用記録媒体もしくはトラックが存在しなければ，シーケンス・テーブルに記述されたキャストが一つでも管理用記録媒体内に存在しなければ，またはキャストに記述されたファイルが画像用または第１の音用記録媒体内に一つでも存在しなければエラーということになり，その旨が表示装置14または他の表示装置23等に表示される。
【００８１】
エラーがなければ，読出されたワーク・エリアに格納された再生管理ファイルにしたがって再生動作が行なわれていく。
【００８２】
図９を参照して，ＣＰＵ11はタイム・コントロール・テーブルに記述されたすべての開始時間，およびシーケンス・テーブルに記述されたすべての画像キャストおよび音キャストに含まれる開始時間を，時間の順序に配列したタイム・テーブルを作成する（ステップ55）。このタイム・テーブルにしたがって，イベント（ＢＧＭ）およびキャスト（静止画，ナレーション）のシーケンスが管理されることになる。
【００８３】
圧縮された画像データの伸張，画像データのその他の加工処理，画像の合成等の前処理のために必要な時間がある場合には，この前処理時間をタイム・テーブルに書込んでおくことが好ましい。そうすることによって，イベント・キャストにしたがう出力処理（表示，音の発生）の前に前もって前処理を行うことができる。
【００８４】
時間を管理するためのタイマをスタートさせ（ステップ56），タイマの計時している時間（時間零を含む）とタイム・テーブルに列挙された時間が比較される。両時間が一致すると（ステップ57），その時間を開始時間とするイベントまたはキャストについての出力処理が行なわれる（ステップ59）。
【００８５】
イベント（ＢＧＭ）の場合には，メディア記述テーブルからオーディオ・トラックＮo.が取得され，このデータに基づいてディスク・ドライバ41が制御される。したがって，指定されたオーディオ・トラックＮo.に記録された第２の音データによって表わされるＧＢＭがスピーカ43から出力されることになる。
【００８６】
画像キャストの場合には画像キャストに含まれているアルバム名およびファイル名を用いて画像用記録媒体がアクセスされ，該当する画像ファイルが読出され，ワーク・エリアに格納される。読出された画像データが，データ圧縮されている場合には伸張処理が行なわれる。画像ファイルに記述されている画像回転情報にしたがって，必要に応じて，ワーク・エリア内の画像データが回転される。画像キャストに記述されている拡大，縮小倍率にしたがって，必要に応じて，画像データの拡大，または縮小処理が行なわれる。さらに必要ならば画像キャスト内の位置情報にしたがって画像データの位置決め，切り出し等が行なわれる。
【００８７】
好ましくは画像再生装置22には２個のＶＲＡＭが設けられている。１個は現在表示されている画像用であり，もう１個は次に表示すべき画像用である。このような場合には，ワーク・エリアの画像データが前もって画像再生装置22のＶＲＡＭに転送されて格納される。そして，開始時間になったときに，表示命令とともに画像出現効果および効果時間が画像再生装置22に与えられ，ＶＲＡＭ上の画像データによって表わされる画像が，指示された効果を伴って表示装置23に表示されることになる。
【００８８】
画像再生装置22に１個のＶＲＡＭしかないときには開始時間になったときに画像データがＶＲＡＭに書込まれ，ただちに表示される。
【００８９】
音キャストの場合には，音キャストに含まれるスタート・ポインタおよびストップ・ポインタ（時間で表現されている）が，それぞれ音用記録媒体上の物理アドレスに変換される。音キャストに記述されたデータおよび上記物理アドレスを含む再生指令が音再生装置32に与えられる。これに応答して，音再生装置32は音用記録媒体から指令された音ファイルの中の指示されたクリップ（ナレーション）を再生し，スピーカ33からナレーションを出力することになる。
【００９０】
タイム・テーブルには好ましくはすべての音，画像を終了させる時間が記述され，この終了時間になると（ステップ58），プレゼンテーションが終る。音（ＢＧＭやナレーション）が終了したときには音再生装置32，42から音再生終了の旨の報告が届くので，この報告の受理により終了時間と判定することもできる。また，静止画の場合には，静止画の表示時間が経過すれば終了ということになる。
【００９１】
画像ファイルの一態様として合体型画像ファイルがある。合体型画像ファイルは複数種類の画像データ（たとえば自然画，文字画像）と，合体情報とを含む。合体情報は合体型画像ファイルに含まれる複数の画像データのうちのどれを用いるのかという情報（合体させる画像の種類）と，合成（合体）方法とを含む。合体させるべき画像の種類に関する情報には，合体させるか，させないかの情報も含まれる。合体させる場合には合体させるべき画像データが明示される。合体させない場合には，どの画像（自然画，文字画像）を用いるかが記述される。合体方法にはＯＲ，ＡＮＤ，ＮＯＲ等がある。
【００９２】
このような合体型画像ファイルが画像キャストによって指定された場合には，合体情報にしたがって複数の画像データが合成されて表示されることになる。
【００９３】
マルチメディア・プレゼンテーション・システムは，店頭における商品案内，美術館等における展示物（絵画）の案内，会議，パーティ等における情報の提示，報告等に利用されよう。
【図面の簡単な説明】
【図１】マルチメディア・プレゼンテーション・システムを示すブロック図である。
【図２】マルチメディア・プレゼンテーションのシーケンスの一例を示す。
【図３】管理用記録媒体の記録構造の例を示す。
【図４】再生管理ファイルの構造例を示す。
【図５】メディア記述テーブルの構造例を示す。
【図６】画像キャストの構造例を示す。
【図７】音キャストの構造例を示す。
【図８】マルチメディア・プレゼンテーション処理の一例を示すフロー・チャートである。
【図９】マルチメディア・プレゼンテーション処理の一例を示すフロー・チャートである。
【符号の説明】
10  コンピュータ・システム
11  ＣＰＵ
15，21，31，41  ディスク・ドライバ
22  画像再生装置
23  表示装置
32，42  音再生装置
33，43  スピーカ
【図１】
0003706621.tif 000002
【図２】
0003706621.tif 000003
【図３】
0003706621.tif 000004
【図４】
0003706621.tif 000005
【図５】
0003706621.tif 000006
【図６】
0003706621.tif 000007
【図７】
0003706621.tif 000008
【図８】
0003706621.tif 000009
【図９】
0003706621.tif 000010